(57)【要約】【課題】情報の読み出し又は情報の書き込みを高速に行うことが可能な光ディスク装置のレンズホルダを提供する。【解決手段】光ディスクに記録されている情報の読み出し等を行う光ピックアップ装置１０に用いられ、前記光ディスク面及び前記光ディスクのトラックの接線に直角となる側面を有するレンズホルダ２０において、巻線型のトラッキングコイル２４又は巻線型のフォーカシングコイル２６を装着したボビン３６を、トラッキングコイル２４又はフォーカシングコイル２６ごと前記側面（面Ｐ又は面Ｑ）にモールドして、上記課題を解決する。【選択図】    図２
2006155753.tif 000002
【特許請求の範囲】
【請求項１】
光ディスクに記録されている情報の読み出し等を行なう光ピックアップ装置に用いられ、前記光ディスク面及び前記光ディスクのトラックの接線に直角となる側面を有するレンズホルダにおいて、
巻線型のトラッキングコイル又は巻線型のフォーカシングコイルを装着したボビンが、前記側面にモールドされていることを特徴とするレンズホルダ。
【請求項２】
光ディスクに記録されている情報の読み出し等を行なう光ピックアップ装置に用いられ、前記光ディスク面及び前記光ディスクのトラックの接線に直角となる側面を有するレンズホルダにおいて、
インサート成形用金型のボスに対して位置決めする係合部を有するボビンであって巻線型のトラッキングコイル及び巻線型のフォーカシングコイルをコイル位置決め部に位置決め装着したボビンが、前記側面にインサート成形されていることを特徴とするレンズホルダ。
【請求項３】
光ディスクに記録されている情報の読み出し等を行なう光ピックアップ装置に用いられ、前記光ディスク面及び前記光ディスクのトラックの接線に直角となる側面を有するレンズホルダにおいて、
インサート成形用金型のボスに対して位置決めするコイル係合部を有する巻線型のトラッキングコイル及び巻線型のフォーカシングコイルを装着したボビンが、前記側面にインサート成形されていることを特徴とするレンズホルダ。
【請求項４】
請求項１〜３のいずれか１項に記載のレンズホルダにおいて、
前記ボビンは、前記トラッキングコイル又は前記フォーカシングコイルから取り出したリード線を通すリード線溝を備えたことを特徴とするレンズホルダ。
【請求項５】
請求項１〜４のいずれか１項に記載のレンズホルダにおいて、
前記トラッキングコイル又は前記フォーカシングコイルは、中心部に位置決め用のコイル係合部を備えたことを特徴とするレンズホルダ。
【請求項６】
請求項１〜５のいずれか１に記載のレンズホルダにおいて、
前記トラッキングコイル又は前記フォーカシングコイルの端面が、レンズホルダの側面に露出していることを特徴とするレンズホルダ。
【請求項７】
光ディスクに記録されている情報の読み出し等を行なう光ピックアップ装置に用いられるレンズホルダのインサート成形用金型であって、
光ディスク面及び光ディスクのトラックの接線に直角となるレンズホルダの側面を成形する金型内面に、巻線型のトラッキングコイル又は巻線型のフォーカシングコイルを装着したボビンを位置決めするためのボスを備えたことを特徴とするレンズホルダのインサート成形用金型。
【請求項８】
光ディスクに記録されている情報の読み出し等を行なう光ピックアップ装置に用いられるレンズホルダのインサート成形用金型であって、
光ディスク面及び光ディスクのトラックの接線に直角となるレンズホルダの側面を成形する金型内面に、巻線型のトラッキングコイル又は巻線型のフォーカシングコイルをボビンとともに位置決めするためのボスを備えたことを特徴とするレンズホルダのインサート成形用金型。
【請求項９】
請求項８に記載のインサート成形用金型において、
前記ボスは、トラッキングコイル又はフォーカシングコイルの中心部を位置決めするボスであることを特徴とするインサート成形用金型。
【請求項１０】
光ディスクに記録されている情報の読み出し等を行なう光ピックアップ装置に用いられるレンズホルダのインサート成形方法であって、
巻線型のトラッキングコイル及び巻線型のフォーカシングコイルを位置決めする位置決め部を有するボビンの前記位置決部に、巻線型のトラッキングコイル及び巻線型のフォーカシングコイルを位置決め装着する工程と、
インサート成形用金型のボスに対して位置決めする係合部を有する前記ボビンの前記係合部を、レンズホルダの側面を成形する金型内面に設けたボスに対して位置決め嵌合する工程と、
前記ボビンを金型内面に嵌合したまま金型を閉じて金型内に樹脂を射出する工程と、
を含むことを特徴とするレンズホルダのインサート成形方法。
【請求項１１】
光ディスクに記録されている情報の読み出し等を行なう光ピックアップ装置に用いられるレンズホルダのインサート成形方法であって、
巻線型のトラッキングコイル及び巻線型のフォーカシングコイルをボビンに装着する工程と、
インサート成形用金型のボスに対して位置決めするコイル係合部を有する巻線型のトラッキングコイル又は巻線型のフォーカシングコイルの前記コイル係合部を、レンズホルダの側面を成形する金型内面に設けたボスに対して前記ボビンごと位置決め嵌合する工程と、
前記トラッキングコイル及び前記フォーカシングコイルをボビンとともに金型内面に嵌合したまま金型を閉じて金型内に樹脂を射出する工程と、
を含むことを特徴とするレンズホルダのインサート成形方法。
【発明の詳細な説明】
【技術分野】
【０００１】
本発明は、光ディスクに記録されている情報の読み出し等を行う光ピックアップ装置に用いるレンズホルダ、レンズホルダのインサート成形用金型及びインサート成形方法に係り、特に巻線を用いた高効率のトラッキングコイル又はフォーカシングコイルを駆動用に用いたレンズホルダ、レンズホルダのインサート成形用金型及びインサート成形方法に関する。
【背景技術】
【０００２】
近年、光ディスクに記録されている情報の読み出し処理、又は光ディスクに対する情報の書き込み処理を短時間に行うために、光ディスクの高回転化が進められている。また、外部から光ディスクドライブに伝わる振動等に対するトラッキング性能やフォーカシング性能を維持するために、光ディスクドライブの光ピックアップ装置のレンズホルダには従来に無い高推力化や高応答性化が求められている。
【０００３】
こうしたレンズホルダの高推力化や高応答性化の要求に対して、レンズホルダに設けられているトラッキングコイル又はフォーカシングコイルのターン数の不足が問題となっている。また、磁界中に置かれたトラッキングコイル又はフォーカシングコイルの線材に電流が流れて、その線材に所定の推力が発生してからその推力がレンズホルダ本体に伝わるまでに、ＦＰＣ基板等に起因する弾性や非線形性の存在により、レンズホルダを駆動制御する際の駆動指令に対する応答遅れなどの現象が生じている。この応答遅れに関する要因の存在によって、光ピックアップ装置レンズホルダのトラッキング、フォーカシング、チルティング等の制御性を向上させることができないという不具合を生じている。
【０００４】
従来、寸法精度、信頼性に優れたハードディスクドライブ用アクチュエータを少ない製造工数で製造するために、磁気ディスクの近傍に設けられた軸に回転自在に支持される支持部と、支持部から一方向に延び先端に磁気ヘッドが取り付けられるスイングアームと、コイル保持部とからなり、それら支持部、スイングアーム及びコイル保持部が樹脂成形により一体形成されているとともに、コイル保持部にボイスコイルがインサート成形により固定されていることを特徴とするハードディスクドライブ用アクチュエータが知られている（例えば特許文献１参照。）。
【０００５】
このハードディスクドライブ用アクチュエータでは、成形に用いる樹脂の溶融温度が高い場合に成形時にボイスコイルに悪影響を及ぼす可能性があるので、その対策の１つとしてボイスコイルに溶融温度が比較的低い樹脂を予備成形して、ボイスコイルの全体を樹脂層で被覆し、この予備成形を施したボイスコイルをインサート成形によりコイル保持部に埋め込むようにしている。
【０００６】
また、このハードディスクドライブ用アクチュエータでは、磁界の中に配置されたコイルに電流を流すとコイルは推力を得て、このコイルの推力がコイル保持部に直接伝わってスイングアームを揺動させることが可能となっている。
【０００７】
このハードディスクドライブ用アクチュエータでは、アクチュエータを樹脂の一体成形品とした場合でも、寸法精度・信頼性に優れた製品が得られることが確認できており、製造工数を減少することが可能となり、製品コストを大幅に削減することができるとされている。そして、アクチュエータの軽量化を図ることができるので、リニアモータによる駆動力が少なくて済むとともに、磁気ヘッドの位置制御の制御性をより高めることができるとされている。
【０００８】
またこのハードディスクドライブ用アクチュエータでは、高精度の位置決め用治具を用いることなくボイスコイルの位置決めを正確に行うことができ、その位置決めに要する時間を治具を用いる場合と比較して大幅に削減することができるとされている。また、コイル保持部の凸部、凹部とボイスコイルとの嵌合（係止）により、ボイスコイルのコイル保持部への固定がより確実となり、ボイスコイルが脱落するという不具合が生じる可能性が少なくなるとされている。更に、コイル保持部にボイスコイルをインサート成形により固定しているので、コイル接着工程を省略することができるとともにボイスコイルの位置決めを正確に行うことができ、生産性の向上を図ることができるとされている。
【０００９】
また従来、外的要因による断線やショート不良を防止して歩留まりを向上させるために、通電時にマグネットと協働してレンズホルダにトラック方向の移動力を与えるトラッキングコイルと、前記レンズホルダにフォーカス方向の移動力を与えるフォーカシングコイルと、前記通電時に前記マグネットと協働して前記レンズホルダにチルト方向における移動力を与えるチルティングコイルとを有し、前記トラッキングコイル、前記フォーカシングコイル、前記チルティングコイルを多層基板に形成し、前記多層基板がインサート成型によって前記レンズホルダに保持されていることを特徴とする光ピックアップ装置が知られている（例えば特許文献２参照。）。
【００１０】
この光ピックアップ装置では、磁界の中に配置されたコイルに電流を流すとコイルは推力を得て、コイルの推力は多層基板を介してインサート成形されたレンズホルダに直接伝わり、レンズホルダを駆動している。そしてこの光ピックアップ装置では、トラッキングコイル、フォーカスコイル、及びチルティングコイルを一つの多層基板に形成し、多層基板を駆動用コイルとしており、多層基板をレンズホルダにインサート成型しているので、先行技術のように外形に銅線が露出しないため、外的要因による断線、ショート不良が発生せず、結果として、歩留まりの向上が可能となるとされている。
【００１１】
またこの光ピックアップ装置では多層基板のパターンを形成しているので、抵抗値などのコイル特性のバラツキが抑えられ、結果として光ピックアップの特性を均一にすることができるとされている。更に、コイルとレンズホルダを一体に形成した部品を購入することができるため、先行技術のような巻線やコイルのアセンブリや、ボビンとレンズホルダとのアセンブリ工程が不要となり、大幅な工数削減が可能となるとされている。
【特許文献１】特開２００１−７６４４７号公報（請求項２）
【特許文献２】特開２００３−２７２２０１号公報（請求項２）
【発明の開示】
【発明が解決しようとする課題】
【００１２】
ところが、特許文献１に記載のハードディスクドライブ用アクチュエータでは、インサート成形方法が具体的に記載されていないために、発明の実施が困難であるという不具合を生じている。
【００１３】
特許文献２に記載の光ピックアップ装置でも、インサート成形方法が具体的に記載されていないために、発明の実施が困難であるという不具合を生じている。
【００１４】
またこの光ピックアップ装置では、駆動用のコイルの位置とレンズの位置が離れているために、コイルに推力が作用してもサスペンションワイヤの撓みなどによりその推力に対応してレンズが変位しない可能性や、応答遅れが発生する可能性がある。
【００１５】
またこの光ピックアップ装置では、多層基板にコイルパターンを配置しているために、巻線型のコイルのように互い違いに線材を配設した高密度コイルを作製することが困難であり、駆動の際の推力を大きくすることが困難であるという不具合を生じている。
【００１６】
またこの光ピックアップ装置では、多層基板にコイルパターンを配置しているので、コイルの断面積を大きくしにくいためにコイルの抵抗値が大きく、駆動の際の発熱量が多くなるという不具合を生じている。
【００１７】
またこの光ピックアップ装置では、多層基板に配置したコイルを用いているために、試作後にプリントコイルの推力不足が発覚しても、推力増強のための設計変更をする場合には、コイルパターンの再設計と、版、ジグ等の再製作が必要であり、納期の遅れや価格の向上を招くおそれがあった。
【００１８】
またこの光ピックアップ装置では、多層基板にコイルパターンを配置したものに電流を流して推力を発生しているために、コイルパターンに発生した推力が各多層基板とその継ぎ目を介してレンズホルダに伝わるので、多層基板の撓みや、継ぎ目の非線形性などの影響により、力の伝達に関する周波数応答が悪化して、レンズホルダの制御性が悪化するという不具合を生じていた。
【００１９】
本発明は上記課題を解決するためになされたもので、光ディスク装置において情報の読み出し又は情報の書き込みを高速に行うために、トラッキング駆動、フォーカシング駆動、チルティング駆動の制御性が優れた光ディスク装置のレンズホルダを安価にて提供することを目的としている。
【００２０】
また上記課題を解決するために本発明は、制御性が優れた光ディスク装置のレンズホルダを安価にて提供するために、レンズホルダにトラッキングコイル又はフォーカシングコイルを容易にインサート成形することが可能なインサート成形用金型を提供することを目的としている。
【００２１】
また上記課題を解決するために本発明は、レンズホルダにトラッキングコイル又はフォーカシングコイルを容易にインサート成形することが可能なレンズホルダのインサート成形方法を提供することを目的としている。
【課題を解決するための手段】
【００２２】
上記目的を達成するために本発明は、光ディスク面及び光ディスクのトラックの接線に直角となる側面を有するレンズホルダにおいて、巻線型のトラッキングコイル又は巻線型のフォーカシングコイルを装着したボビンが前記側面にモールドされていることを特徴とする。
【００２３】
また上記目的を達成するために本発明は、光ディスク面及び光ディスクのトラックの接線に直角となる側面を有するレンズホルダにおいて、インサート成形用金型のボスに対して位置決めする係合部を有するボビンであって巻線型のトラッキングコイル及び巻線型のフォーカシングコイルをコイル位置決め部に位置決め装着したボビンが、前記側面にインサート成形されていることを特徴とする。
【００２４】
また上記目的を達成するために本発明は、光ディスク面及び光ディスクのトラックの接線に直角となる側面を有するレンズホルダにおいて、インサート成形用金型のボスに対して位置決めするコイル係合部を有する巻線型のトラッキングコイル及び巻線型のフォーカシングコイルを装着したボビンが、前記側面にインサート成形されていることを特徴とする。
【００２５】
また上記目的を達成するために本発明に係るレンズホルダのボビンは、トラッキングコイル又はフォーカシングコイルから取り出したリード線を通すリード線溝を備えたことを特徴とする。
【００２６】
また上記目的を達成するために本発明に係るレンズホルダのトラッキングコイル又はフォーカシングコイルは、中心部に位置決め用のコイル係合部を備えたことを特徴とする。
【００２７】
また上記目的を達成するために本発明に係るレンズホルダは、トラッキングコイル又はフォーカシングコイルの端面がレンズホルダの側面に露出していることを特徴とする。
【００２８】
また上記目的を達成するために本発明に係るレンズホルダのインサート成形用金型は、光ディスク面及び光ディスクのトラックの接線に直角となるレンズホルダの側面を成形する金型内面に、巻線型のトラッキングコイル又は巻線型のフォーカシングコイルを装着したボビンを位置決めするためのボスを備えたことを特徴とする。
【００２９】
また上記目的を達成するために本発明に係るレンズホルダのインサート成形用金型は、光ディスク面及び光ディスクのトラックの接線に直角となるレンズホルダの側面を成形する金型内面に、巻線型のトラッキングコイル又は巻線型のフォーカシングコイルをボビンとともに位置決めするためのボスを備えたことを特徴とする。
【００３０】
また上記目的を達成するために本発明に係るインサート成形用金型のボスは、トラッキングコイル又はフォーカシングコイルの中心部を位置決めするボスであることを特徴とする。
【００３１】
また上記目的を達成するために本発明に係るレンズホルダのインサート成形方法は、巻線型のトラッキングコイル及び巻線型のフォーカシングコイルを位置決めする位置決め部を有するボビンの位置決部に、巻線型のトラッキングコイル及び巻線型のフォーカシングコイルを位置決め装着する工程と、インサート成形用金型のボスに対して位置決めする係合部を有するボビンの係合部を、レンズホルダの側面を成形する金型内面に設けたボスに対して位置決め嵌合する工程と、ボビンを金型内面に嵌合したまま金型を閉じて金型内に樹脂を射出する工程とを含むことを特徴とする。
【００３２】
また上記目的を達成するために本発明に係るレンズホルダのインサート成形方法は、巻線型のトラッキングコイル及び巻線型のフォーカシングコイルをボビンに装着する工程と、インサート成形用金型のボスに対して位置決めするコイル係合部を有する巻線型のトラッキングコイル又は巻線型のフォーカシングコイルのコイル係合部を、レンズホルダの側面を成形する金型内面に設けたボスに対して前記ボビンごと位置決め嵌合する工程と、トラッキングコイル及びフォーカシングコイルをボビンとともに金型内面に嵌合したまま金型を閉じて金型内に樹脂を射出する工程とを含むことを特徴とする。
【００３３】
また上記目的を達成するために本発明に係るレンズホルダのトラッキングコイルは、光ディスク面に対して垂直の方向に長い略直方体形状に形成されていることを特徴とする。
【００３４】
また上記目的を達成するために本発明に係るレンズホルダのフォーカシングコイルは、光ディスクのトラックの法線に対して平行な方向に長い略直方体形状に形成されていることを特徴とする。
【発明の効果】
【００３５】
本発明に係るレンズホルダは、巻線型のトラッキングコイル又は巻線型のフォーカシングコイルを装着したボビンを、レンズホルダの光ディスク面及び光ディスクのトラックの接線に直角となる面にトラッキングコイル又はフォーカシングコイルごとモールドしたので、各コイルに直接レンズホルダを形成する樹脂が回り込ませることができ、コイルとレンズホルダ間の接続剛性を高めることが可能となり、固有振動数が向上し、レンズホルダの制御性（感度）を向上させることが可能となる。また、コイルとレンズホルダ間の接続剛性を高めることによって周波数応答性が向上し、レンズホルダの制御性を向上させることが可能となる。また、本発明では巻線型のコイルを用いることによって多層基板を不要としたためにレンズホルダを軽量化させることが可能となり、レンズホルダの制御性を向上させることが可能となる。また、巻線の巻数を増加させることも容易にできるので、レンズホルダの駆動推力を向上せることが可能となる。
【００３６】
したがって、光ディスク装置におけるトラッキング駆動、フォーカシング駆動、又はチルティング駆動の制御性が向上するので、光ディスク装置における情報の読み出し又は情報の書き込みを高速に行うことが可能となる。
【００３７】
また上記発明では、光ディスク面及び光ディスクのトラックの接線に直角となるレンズホルダの側面に巻線型のフォーカシングコイルをインサート成形したので、例えばレンズホルダのレンズ面にフォーカシングコイルを設ける場合と比較して、フォーカシングコイルの配置に対しての自由度を大きくすることが可能となる。したがって、試作段階での巻数の増減や、コイルの外形寸法の増減、コイルの内形寸法の増減、コイルの有効長の増減、コイルの線径の増減、レンズホルダのストロークの変更などの設計変更を、レンズホルダの厚さ又はレンズホルダの側面の大きさの範囲内で容易に行うことが可能となる。これにより開発費用の増加を防止し、開発期間の延長を防止することが可能となる。
【００３８】
また他の発明によれば、インサート成形用金型のボスに対して位置決めする係合部を有するボビンであって巻線型のトラッキングコイル及び巻線型のフォーカシングコイルをコイル位置決め部に位置決め装着したボビンを、光ディスク面及び光ディスクのトラックの接線に直角となるレンズホルダの側面に、インサート成形用金型に設けたボスと位置決めしてトラッキングコイル及びフォーカシングコイルごとインサート成形したので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００３９】
また上記発明によれば、各コイルに直接レンズホルダを形成する樹脂が回り込むので、コイルとレンズホルダ間の接続剛性を高めることが可能となり、固有振動数が向上し、レンズホルダの制御性（感度）を向上させることが可能となる。また、コイルとレンズホルダ間の接続剛性を高めることによって周波数応答性が向上し、レンズホルダの制御性を向上させることが可能となる。また、本発明では巻線型のコイルを用いることによって多層基板を不要としたためにレンズホルダを軽量化させることが可能となり、レンズホルダの制御性を向上させることが可能となる。また、巻線の巻数を増加させることも容易にできるので、レンズホルダの駆動推力を向上せることが可能となる。
【００４０】
したがって、光ディスク装置におけるトラッキング駆動、フォーカシング駆動、又はチルティング駆動の制御性が向上するので、光ディスク装置における情報の読み出し又は情報の書き込みを高速に行うことが可能となる。
【００４１】
また上記発明では、光ディスク面及び光ディスクのトラックの接線に直角となるレンズホルダの側面に巻線型のトラッキングコイル又は巻線型のフォーカシングコイルをインサート成形したので、例えばレンズホルダのレンズ面にフォーカシングコイルを設ける場合と比較して、フォーカシングコイルの配置に対しての自由度を大きくすることが可能となる。したがって、試作段階での巻数の増減や、コイルの外形寸法の増減、コイルの内形寸法の増減、コイルの有効長の増減、コイルの線径の増減、レンズホルダのストロークの変更などの設計変更を、レンズホルダの厚さ又はレンズホルダの側面の大きさの範囲内で容易に行うことが可能となる。これにより開発費用の増加を防止し、開発期間の延長を防止することが可能となる。
【００４２】
また本発明に係るレンズホルダによれば、インサート成形用金型のボスに対して位置決めするコイル係合部を有する巻線型のトラッキングコイル及び巻線型のフォーカシングコイルを装着したボビンを、レンズホルダの光ディスク面及び光ディスクのトラックの接線に直角となる面に、インサート成形用金型に設けたボスと前記コイル係合部とを位置決めして前記各コイルごとンサート成形したので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００４３】
また上記発明によれば、各コイルに直接レンズホルダを形成する樹脂が回り込むので、コイルとレンズホルダ間の接続剛性を高めることが可能となり、固有振動数が向上し、レンズホルダの制御性（感度）を向上させることが可能となる。また、コイルとレンズホルダ間の接続剛性を高めることによって周波数応答性が向上し、レンズホルダの制御性を向上させることが可能となる。また、本発明では巻線型のコイルを用いることによって多層基板を不要としたためにレンズホルダを軽量化させることが可能となり、レンズホルダの制御性を向上させることが可能となる。また、巻線の巻数を増加させることも容易にできるので、レンズホルダの駆動推力を向上せることが可能となる。
【００４４】
したがって、光ディスク装置におけるトラッキング駆動、フォーカシング駆動、又はチルティング駆動の制御性が向上するので、光ディスク装置における情報の読み出し又は情報の書き込みを高速に行うことが可能となる。
【００４５】
また上記発明では、光ディスク面及び光ディスクのトラックの接線に直角となるレンズホルダの側面に巻線型のフォーカシングコイルをインサート成形したので、例えばレンズホルダのレンズ面にフォーカシングコイルを設ける場合と比較して、フォーカシングコイルの配置に対しての自由度を大きくすることが可能となる。したがって、試作段階での巻数の増減や、コイルの外形寸法の増減、コイルの内形寸法の増減、コイルの有効長の増減、コイルの線径の増減、レンズホルダのストロークの変更などの設計変更を、レンズホルダの厚さ又はレンズホルダの側面の大きさの範囲内で容易に行うことが可能となる。これにより開発費用の増加を防止し、開発期間の延長を防止することが可能となる。
【００４６】
また本発明に係るレンズホルダによれば、巻線型のトラッキングコイル及び巻線型のフォーカシングコイルを装着したボビンに、前記トラッキングコイル又はフォーカシングコイルから取り出したリード線を通すリード線溝を備えたので、インサート成形時にコイルから取り出したリード線を前記リード線溝に通しておくことによって各コイルのインサート成形を容易にし、リード線の断線を防止してレンズホルダの歩留りを改善することが可能となる。
【００４７】
また本発明に係るレンズホルダによれば、光ディスク面に対して垂直の方向に長い略直方体形状を有するトラッキングコイルをレンズホルダにインサート成形したので、限られた範囲の磁界中により多くの導線を置くことが可能となる。これによってトラッキングコイルにより発生する推力を増大させることができるので、レンズホルダにおけるトラッキングの制御性を向上させることが可能となる。したがって、光ディスク装置における情報の読み出し又は情報の書き込みを高速に行うことが可能となる。
【００４８】
また本発明によれば、光ディスクのトラックの法線に対して平行な方向に長い略直方体形状を有するフォーカシングコイルをレンズホルダにインサート成形したので、限られた範囲の磁界中により多くの導線を置くことが可能となる。これによってフォーカシングコイルにより発生する推力を増大させることができるので、レンズホルダにおけるフォーカシング又はチルティングの制御性を向上させることが可能となる。したがって、光ディスク装置における情報の読み出し又は情報の書き込みを高速に行うことが可能となる。
【００４９】
また他の発明によれば、巻線型のトラッキングコイル又は巻線型のフォーカシングコイルの中心部に位置決め用のコイル係合部を備えたので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。更に、試作段階での巻数の増減や、コイルの外形寸法の増減、コイルの内形寸法の増減、コイルの有効長の増減、コイルの線径の増減、レンズホルダのストロークの増減などの設計変更を、レンズホルダの厚さ又はレンズホルダの側面の大きさの範囲内で容易に行うことが可能となる。これにより開発費用の増加を防止し、開発期間の延長を防止することが可能となる。
【００５０】
また他の発明によれば、巻線型のトラッキングコイル又は巻線型のフォーカシングコイルの中心部に四角形状の位置決め用コイル係合部を備えたので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００５１】
また他の発明によれば、巻線型のトラッキングコイル又は巻線型のフォーカシングコイルの端面をレンズホルダの側面に露出させているので、磁界の強い領域に多くの導線を集中して配置することが可能となり、コイルにより発生する推力を増大させることができるので、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００５２】
また本発明に係るレンズホルダのインサート成形用金型によれば、光ディスク面及び光ディスクのトラックの接線に直角となるレンズホルダの側面を成形する金型内面に、巻線型のトラッキングコイル又は巻線型のフォーカシングコイルを装着したボビンを位置決めするためのボスを備えたので、インサート成形用の金型内面のボスに対して前記コイルを装着したボビンを嵌合させてからインサート成形を行うことが可能となり、レンズホルダのインサート成形が容易になる。また、レンズホルダに対するコイルの位置決め精度が向上するので、トラッキング駆動、フォーカシング駆動、及びチルティング駆動相互間のクロストークを減少させ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００５３】
また本発明に係るレンズホルダのインサート成形用金型によれば、光ディスク面及び光ディスクのトラックの接線に直角となるレンズホルダの側面を成形する金型内面に、巻線型のトラッキングコイル又は巻線型のフォーカシングコイルをボビンとともに位置決めするためのボスを備えたので、インサート成形用の金型内面のボスに対して前記コイルを嵌合させてからインサート成形を行うことが可能となり、レンズホルダのインサート成形が容易になる。また、レンズホルダに対するコイルの位置決め精度が向上するので、トラッキング駆動、フォーカシング駆動、及びチルティング駆動相互間のクロストークを減少させ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００５４】
また本発明に係るレンズホルダのインサート成形用金型によれば、光ディスク面及び光ディスクのトラックの接線に直角となるレンズホルダの側面を成形するインサート成形用の金型内面に、巻線型のトラッキングコイル又は巻線型のフォーカシングコイルの中心部を位置決めするためのボスを備えたので、インサート成形用の金型内面のボスに対してトラッキングコイル又はフォーカシングコイルを嵌合させてからインサート成形を行うことが可能となり、レンズホルダのインサート成形が容易になる。更に、金型を変更することなく、試作段階での巻数の増減や、コイルの外形寸法の増減、コイルの内形寸法の増減、コイルの有効長の増減、コイルの線径の増減、レンズホルダのストロークの増減などの設計変更を、レンズホルダの厚さ又はレンズホルダの側面の大きさの範囲内で容易に行うことが可能となる。これにより開発費用の増加を防止し、開発期間の延長を防止することが可能となる。
【００５５】
また、巻線型のトラッキングコイル又は巻線型のフォーカシングコイルの端面をレンズホルダの側面に露出させることができるので、磁界の強い領域に多くの導線を集中して配置することが可能となり、コイルにより発生する推力を増大させることができ、レンズホルダの制御性を向上させることが可能となる。したがって、レンズホルダにおけるフォーカシング又はチルティングの制御性を向上させて、光ディスク装置における情報の読み出し又は情報の書き込みを高速に行うことが可能となる。
【００５６】
また本発明に係るレンズホルダのインサート成形用金型によれば、光ディスク面及び光ディスクのトラックの接線に直角となるレンズホルダの側面を成形する金型内面に巻線型のトラッキングコイル又は巻線型のフォーカシングコイルの中心部を位置決めする略直方体形状のボスを備えたので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。したがって、光ディスク装置における情報の読み出し又は情報の書き込みを高速に行うことが可能となる。
【００５７】
また本発明に係るレンズホルダのインサート成形方法によれば、巻線型のトラッキングコイル及び巻線型のフォーカシングコイルを位置決めする位置決め部を有するボビンの位置決部に巻線型のトラッキングコイル及び巻線型のフォーカシングコイルを位置決め装着する工程と、インサート成形用金型のボスに対して位置決めする係合部を有するボビンの係合部をレンズホルダの側面を成形する金型内面に設けたボスに対して位置決め嵌合する工程と、ボビンを金型内面に嵌合したまま金型を閉じて金型内に樹脂を射出する工程とを含むようにしたので、レンズホルダに対するコイルの位置決め精度を向上させるとともに、コイルとレンズホルダ間の接続剛性が高いレンズホルダを容易に成形することが可能となる。したがって、固有振動数が高く、周波数応答性が良好で、クロストークが少なく、制御性の良好なレンズホルダを安価にて提供することが可能となる。
【００５８】
また本発明に係るレンズホルダのインサート成形方法によれば、巻線型のトラッキングコイル及び巻線型のフォーカシングコイルをボビンに装着する工程と、インサート成形用金型のボスに対して位置決めするコイル係合部を有する巻線型のトラッキングコイル又は巻線型のフォーカシングコイルのコイル係合部を、レンズホルダの側面を成形する金型内面に設けたボスに対して前記ボビンごと位置決め嵌合する工程と、トラッキングコイル及びフォーカシングコイルをボビンとともに金型内面に嵌合したまま金型を閉じて金型内に樹脂を射出する工程とを含むようにしたので、レンズホルダに対するコイルの位置決め精度を向上させるとともに、コイルとレンズホルダ間の接続剛性が高いレンズホルダを容易に成形することが可能となる。したがって、固有振動数が高く、周波数応答性が良好で、クロストークが少なく、制御性の良好なレンズホルダを安価にて提供することが可能となる。
【００５９】
また本発明によれば、レンズホルダに直接トラッキングコイル又はフォーカシングコイルをインサート成形しているので、従来のＦＰＣや多層基板を用いた光ピックアップと比較してＦＰＣ等の材料のぶんだけ多くのコイルを巻くことが可能となり、駆動の際の推力を増大させてレンズホルダの制御性を向上させることが可能となる。
【００６０】
また本発明によれば、各コイルに巻線コイルを用いたので、ＦＰＣや多層基板で発生していた基板の損傷や断線によるトラブルを防止することが可能となる。また、ＦＰＣや多層基板を用いていないので、そのぶんレンズホルダを構成する素材の量を増やすことが可能となり、レンズホルダの小型化や軽量化や、レンズホルダ剛性の高剛性化を図ることができる。
【００６１】
また本発明によれば、各コイルに圧縮加工等を行った高密度コイルを用いることが可能となり、レンズホルダの小型化と、コイルの形状を従来の樽型から直方体に近い良好な形状に管理して、各コイルの位置決め精度を向上させるとともに、各コイルにより発生する推力を向上をさせることが可能となる。
【発明を実施するための最良の形態】
【００６２】
以下、本発明を実施するための最良の形態を、図面に基づき説明する。
【００６３】
図１は、本発明に係るレンズホルダを備えた光ピックアップ装置を、光ディスク側から見た斜視図である。
【００６４】
本発明に係る光ピックアップ装置１０は、パーソナルコンピュータ等の電子機器に搭載される光ディスクドライバに使用可能な装置であり、光ディスクのピットトラックに沿って同図のＴｒ方向に移動するように制御する移動体である。
【００６５】
同図に示すように光ピックアップ装置１０は、光ディスクに対して対向するように配置したレンズ２２を保持するレンズホルダ２０と、レンズホルダ２０を光ディスクのトラッキング方向（図１に示すＴｒ方向）とフォーカシング方向（図１に示すＦｏ方向）に小変位させることが可能であるとともに、チルティング方向（図１に示すＴｉ方向）に微小角度回動可能に支持する６本のサスペンションワイヤ１４とを備えている。なお、本発明はサスペンションワイヤの本数を限定するものではなく、電極数等の要求に応じて例えばサスペンションワイヤを４本設けるようにしてもよい。
【００６６】
また光ピックアップ装置１０には、トラッキング、フォーカシング、チルティングの駆動力を発生させるための磁力を発生する第１の磁石３０と第２の磁石３２とを設けてあり、これらの磁石はダンパベース１２に固定している。また、このダンパベース１２は、６本のサスペンションワイヤ１４の一端を保持している。
【００６７】
本発明では、限られたスペース内で所望の磁力線を得るために、前記第１の磁石３０と第２の磁石３２には、一つの面内に複数の磁極を有する分極磁石を用いている。
【００６８】
図１には示していないが、光ピックアップ装置１０には、レーザビームを発生する半導体レーザと、半導体レーザが発したレーザビームを分岐するビームスプリッタと、レーザビームを受光して光の強度に相当する電気信号を出力するモニタ装置と、レーザビームを平行光に変換するコリメートレンズと、レーザービームの向きを変える立ち上げミラーと、光ディスクで反射したレーザビームを入力して電気信号に変換するフォトダイオードとを設けてある。
【００６９】
前記レンズ２２は、レーザービームを集光して光ディスクに照射することが可能となっている。そして光ディスクから反射した光は、再びレンズ２２を通過して平行光になり、立ち上げミラーで反射されてコリメートレンズを通過してビームスピリッタを通過し、フォトダイオード上に結像して電気信号に変換される。
【００７０】
光ピックアップ装置１０は、光ディスクの偏心運動等によるピットトラックの振れに追従するために、レンズホルダ２０自体を光ディスクのトラックの法線方向（図１に示すＴｒ方向）に微小変位駆動するトラッキング駆動機構（第１の磁石３０、第２の磁石３２と、トラッキングコイル２４とから成る）を設けてある。
【００７１】
また、光ディスクのピットにレーザービームを合焦させるために、レンズホルダ２０自体を光ディスク面の直角方向（図１に示すＦｏ方向）に微小変位駆動するフォーカシング駆動機構（第１の磁石３０、第２の磁石３２と、フォーカシングコイル２６とから成る）を設けてある。
【００７２】
また、光ディスクのうねりによるピットトラックの振れに追従するために、レンズホルダ２０自体を光ディスクのトラックの接線方向と平行な軸回り（図１に示すＴｉ方向）に微小角度回動駆動するチルティング駆動機構（第１の磁石３０、第２の磁石３２と、フォーカシングコイル２６とから成る）を設けてある。
【００７３】
図２は、本発明に係るレンズホルダの外観斜視図である。
【００７４】
同図に示すように、光ディスク面及び光ディスクのトラックの接線に対して直角となるレンズホルダの２面（面Ｑ及び面Ｐ）には、光ディスク面に対して垂直方向（同図に示すＦｏ方向）に長い略直方体形状であって中心部に位置決め用の四角形状のコイル係合部を有するトラッキングコイル２４と、光ディスクのトラックの法線（同図に示すＶｒ及びＴｒ方向）に対して平行な方向に長い略直方体形状であって中心部に位置決め用の四角形状のコイル係合部を有するフォーカシングコイル２６と、ボビン３６とを、それぞれ一体にモールド又はインサート成形してある。
【００７５】
本発明に係るレンズホルダ２０では、先ずトラッキングコイル２４及びフォーカシングコイル２６をレンズホルダ２０と同一又は同類の密着しやすい素材を用いたボビン３６に予め接着剤等を用いて装着しておき、次にレンズホルダ２０を成形する際にボビン３６ごとモールド又はインサート成形してレンズホルダ２０を製造している。
【００７６】
トラッキングコイル２４とフォーカシングコイル２６は導線を巻いた巻線コイルである。これらのコイルに、圧縮加工等を行った高密度コイルを用いることによって、いっそうの小型化を図ることができ、コイルの形状をより直方体に近い形状に管理することが可能となる。
【００７７】
各コイルをインサート成形する際には、各コイルは温度管理しているインサート成形用金型の内面と当接する。また、射出成形時には高温の樹脂温度に曝される。したがって各コイルの線材には、耐熱性の高い樹脂皮膜等を備えた線材を用いるとよい。
【００７８】
また、トラッキングコイル２４又はフォーカシングコイル２６から取り出したリード線を処理するために、レンズホルダ２０の対向する２面であって、光ディスク面及び光ディスクのトラックの法線に直角な２面には、２つのトラッキングコイル２４及び２つのフォーカシングコイル２６から取り出したリード線２８を基板端子４４に接続し、それぞれのコイルを用途に応じて直列又は並列に結線して中継する第１の基板４０と第２の基板４２とを接着してある。
【００７９】
なお、２つのトラッキングコイル２４及び２つのフォーカシングコイル２６に供給する電流は、ダンパベース１２からサスペンションワイヤ１４と第１の基板４０及び第２の基板４２とを経由して、２つのトラッキングコイル２４及び２つのフォーカシングコイル２６に供給している。
【００８０】
図３は、トラッキングコイル及びフォーカシングコイルをボビンに装着する際の位置関係を説明する斜視図である。
【００８１】
ボビン３６には、略直方体形状のトラッキングコイル２４及びフォーカシングコイル２６の中心部に設けた位置決め用のコイル係合部７２と当接して位置決めを行うために突出した中空の位置決部３７と、トラッキングコイル２４及びフォーカシングコイル２６から取り出したリード線２８等を通すリード線溝３８とを設けてある。ボビンの位置決部３７の中空の中央部には、インサート成形用金型と係合する係合部３９を設けてある。
【００８２】
以下、ボビン３６の組立方法について説明する。
【００８３】
巻線型のトラッキングコイル２４及び巻線型のフォーカシングコイル２６のコイル係合部７２を、ボビン３６の位置決部３７の外周と当接させて位置決めし、トラッキングコイル２４及びフォーカシングコイル２６をボビン３６に接着して装着する。このとき、各コイルから取り出したリード線２８を、リード線溝３８内に通して接着しておくと、レンズホルダ２０をインサート成形時する際に、リード線２８の断線を防止することが可能となる。
【００８４】
図４は、本発明に係るレンズホルダにトラッキングコイル及びフォーカシングコイルをインサート成形する際のレンズホルダと金型の断面図である。なお、同図は図２のＡ−Ａ断面を示している。
【００８５】
同図に示すようにレンズホルダ２０の２つの側面（面Ｑ及び面Ｐ）には、２つのトラッキングコイル２４と２つのフォーカシングコイル２６が、レンズホルダ２０の中心Ｚに対して点対称になる位置にボビン３６とともにインサート成形してある。
【００８６】
２つのフォーカシングコイル２６が中心Ｚに対して点対称に配置してある理由は、２つのフォーカシングコイル２６を用いてフォーカシング駆動とチルティング駆動とを実現するためである。なお、このトラッキングコイル又はフォーカシングコイルは必ずしも２組である必要はなく１組であってもよいし、３組以上設けても本発明の目的を達成することが可能である。
【００８７】
同図に示す例では、レンズホルダ２０に対する各コイルの位置決め精度を向上させて、トラッキング駆動、フォーカシング駆動、及びチルティング駆動相互間のクロストークを減少させ、レンズホルダの制御性を向上させることが可能となる。
【００８８】
トラッキングコイル２４及びフォーカシングコイル２６を予め装着したボビン３６の素材には、レンズホルダ２０の素材と同一又は同類の密着しやすい素材を用いることによって、ボビン３６とレンズホルダ２０との密着性を高め、レンズホルダ２０の剛性を高めるとともに、軽量化を図ることが可能である。
【００８９】
また同図に示すように、トラッキングコイル２４とフォーカシングコイル２６の外周等には、レンズホルダ２０を成形する際の素材（樹脂）が回り込んでおり、各コイルの線材外周にレンズホルダ２０の素材を直接密着させている。したがって、磁界の中に置かれたトラッキングコイル２４又はフォーカシングコイル２６に制御電流を流すと、磁界及び電流の方向に対して垂直な方向に推力を発生し、このコイルの推力はレンズホルダ２０を組成する素材（例えば樹脂）に直接伝わって、レンズホルダ２０を直接駆動することが可能となっている。
【００９０】
なお、同図に示す例では、光ディスク面及び光ディスクのトラックの接線に直角となるレンズホルダ２０の側面（面Ｑ及び面Ｐ）を成形するインサート成形用金型Ｙ１及びＹ２の内面に、巻線型のトラッキングコイル２４又は巻線型のフォーカシングコイル２６を装着したボビン３６の係合部３９を位置決めするためのボス６０又は６２を備えた実施例を示している。本発明は、図４に示した例に限定されるものではなく、以下の図５に説明する実施例等を用いても本発明の目的を達成することが可能である。
【００９１】
図５は、本発明に係るレンズホルダにトラッキングコイル及びフォーカシングコイルをインサート成形する際の他の実施例の断面図である。
【００９２】
同図に示すようにレンズホルダ１２０の２つの側面（面Ｑ及び面Ｐ）には、２つのトラッキングコイル２４と２つのフォーカシングコイル２６が、レンズホルダ１２０の中心Ｚに対して点対称になる位置にボビン１３６とともにインサート成形してある。
【００９３】
同図に示す例では、光ディスク面及び光ディスクのトラックの接線に直角となるレンズホルダ１２０の側面Ｐ（面Ｑについては記載を省略してある）を成形するインサート成形用金型Ｙ２１の内面に、巻線型のトラッキングコイル２４又は巻線型のフォーカシングコイル２６のコイル係合部７２を位置決めするためのボス１６０又は１６２を備えている実施例を示している。
【００９４】
同図に示すように、トラッキングコイル２４とフォーカシングコイル２６の外周及び内周には、レンズホルダ１２０を成形する際の素材（樹脂）がより広範囲に回り込んでおり、各コイルの線材外周にレンズホルダ１２０の素材を直接密着させている。したがって、磁界の中に置かれたトラッキングコイル２４又はフォーカシングコイル２６に制御電流を流すと、磁界及び電流の方向に対して垂直な方向に推力を発生し、このコイルの推力はレンズホルダ１２０を組成する素材（例えば樹脂）に直接伝わって、レンズホルダ１２０を直接駆動することが可能となっている。
【００９５】
以下に、トラッキング、フォーカシング、及びチルティングの動作について説明する。
【００９６】
レンズホルダ２０、１２０をトラッキング駆動する際には、例えば２つのトラッキングコイル２４に対して同相の電流を流す。すると、２つのトラッキングコイル２４は同方向のトラッキング方向（図１に示すＴｒ方向）に推力を発生するので、レンズホルダ２０、１２０をＴｒ方向にトラッキング駆動する。したがって、レーザービームを光ディスクのピットトラックに追従させるための駆動制御を行うことが可能となる。
【００９７】
レンズホルダ２０、１２０をフォーカシング駆動する際には、例えば２つのフォーカシングコイル２６に対して同相の電流を流す。すると、２つのフォーカシングコイル２６は同方向のフォーカス方向（図１に示すＦｏ方向）に推力を発生し、レンズホルダ２０、１２０をＦｏ方向にフォーカシング駆動する。したがって、レーザービームを光ディスクのピットに合焦させるための駆動制御を行うことが可能となる。
【００９８】
また、レンズホルダ２０、１２０をチルティング駆動する場合には、例えば２つのフォーカシングコイル２６に対して逆相の電流を流す。すると、２つのフォーカシングコイル２６は互いに異なる方向に推力を発生し、レンズホルダ２０、１２０をＴｉ回りにチルティング駆動する。したがって、レーザービームを光ディスクのピットトラックに追従させるための駆動制御を行うことが可能となる。
【００９９】
次に、レンズホルダの成形方法について図４を用いて説明する。
【０１００】
レンズホルダ２０を成形する際には、図４に示したような金型Ｙ１、金型Ｙ２、金型Ｈ１、金型Ｈ２、及び図示しない上下方向のインサート成形用金型を用いて成形する。
【０１０１】
インサート成形用の金型Ｙ１及び金型Ｙ２における、レンズホルダ２０の側面を成形する金型内面には、インサート成形時にボビン３６の係合部３９に当接して各コイルをボビン３６ごと保持する略直方体形状のボス６０とボス６２とを設けてある。
【０１０２】
先ず全ての金型を開いた状態で、金型Ｙ１及び金型Ｙ２のボス６０とボス６２に、ボビン３６の係合部３９を位置決め装着する。このボビン３６の装着は、作業者が直接行ってもよいし、自動機で装着するようにしてもよい。
【０１０３】
次に、ボビン３６のリード線溝３８内に通して接着した各コイルのリード線２８を金型に挟まないように処理した後に、金型を閉じて樹脂を射出してレンズホルダ２０の射出成形を行う。このとき、トラッキングコイル２４及びフォーカシングコイル２６の線材の周囲に成形用の樹脂が回り込むので、コイルの線材自体が直接レンズホルダ２０に密着した状態となる。
【０１０４】
所定の成形条件にて成形処理を終了した後に金型を開くと、トラッキングコイル２４及びフォーカシングコイル２６がインサート成形されたレンズホルダ２０が完成する。
【０１０５】
図６は、トラッキングコイル又はフォーカシングコイルと、インサート成形用金型に設けた略直方体形状のボスとの関係を示す他の実施例の斜視図である。
【０１０６】
同図に示すように、略直方体形状のコイル７０（トラッキングコイル又はフォーカシングコイル）の中心部には、位置決め用のコイル係合部７２を設けてある。同図に示す例では、コイル７０を、ボビン１３６に設けたコイル位置決部１３７と嵌合させて装着している。またコイル７０を、インサート成形用金型内面９０に設けた略直方体形状のボス９２、９２と嵌合させて位置決めさせるために、コイル７０に設けたコイル係合部７２の形状を四角形状としている。同図に示す例では、コイル係合部７２と２つのボス９２、９２を嵌合させることによって、同図に示すＸ方向及びＹ方向の位置決めに加えて、Θ回りの位置決めを行うことを可能としている。
【０１０７】
コイルの形状は、同図に示すような略直方体形状とすることが磁界のスペース上好都合であるが、必ずしも略直方体形状に限定するものではなく、長円の柱形状としてもよいし、菱形の柱形状、三角柱形状、円柱形状としても本発明の目的を達成することが可能である。また、コイル係合部の形状やボスの形状も、四角形状に限定するものではない。
【０１０８】
図７は、トラッキングコイル又はフォーカシングコイルと、インサート成形用金型に設けた円柱形状のボスとの関係を示す他の実施例の斜視図である。
【０１０９】
同図に示すように、略直方体形状のコイル７０（トラッキングコイル又はフォーカシングコイル）の中心部には、位置決め用のコイル係合部７２を設けてある。同図に示す例では、コイル７０を、ボビン２３６に設けた円柱形状のコイル位置決部２３７と嵌合させて装着している。またコイル７０を、インサート成形用金型内面１９０に設けた円筒形状のボス１９２と嵌合させて位置決めさせるために、コイル７０に設けたコイル係合部７２の形状を角部がＲ形状の略四角形状としている。同図に示す例では、コイル係合部７２と４つのボス１９２を嵌合させることによって、同図に示すＸ方向及びＹ方向の位置決めに加えて、Θ回りの位置決めを行うことを可能としている。
【０１１０】
図８は、トラッキングコイル又はフォーカシングコイルと、インサート成形用金型に設けたボスとの関係を示す他の実施例の斜視図である。
【０１１１】
同図に示す例では、コイル７０を、ボビン３３６に設けたコイル位置決部３３７の内面と嵌合させて装着している。そして、略直方体形状のコイル７０の外周部７４を、インサート成形用金型内面２９０に設けた略直方体形状の内面を有するボス２９２と嵌合させて位置決めさせている。同図に示す例では、ボス２９２の内面形状をコイル７０の外周形状と合わせることによって、同図に示すＸ方向及びＹ方向の位置決めに加えて、Θ回りの位置決めを行うことが可能となる。
【０１１２】
この実施例の場合にも、コイルの形状は略直方体形状とすることが好ましいが、必ずしも略直方体形状に限定するものではなく、長円の柱形状としてもよいし、菱形の柱形状、三角柱形状、円柱形状としても本発明の目的を達成することが可能である。
【図面の簡単な説明】
【０１１３】
【図１】本発明に係るレンズホルダを備えた光ピックアップ装置を、光ディスク側から見た斜視図である。
【図２】本発明に係るレンズホルダの外観斜視図である。
【図３】トラッキングコイル及びフォーカシングコイルをボビンに装着する際の位置関係を説明する斜視図である。
【図４】本発明に係るレンズホルダにトラッキングコイル及びフォーカシングコイルをインサート成形する際のレンズホルダと金型の断面図である。
【図５】本発明に係るレンズホルダにトラッキングコイル及びフォーカシングコイルをインサート成形する際の他の実施例の断面図である。
【図６】トラッキングコイル又はフォーカシングコイルと、インサート成形用金型に設けた略直方体形状のボスとの関係を示す他の実施例の斜視図である。
【図７】トラッキングコイル又はフォーカシングコイルと、インサート成形用金型に設けた円柱形状のボスとの関係を示す他の実施例の斜視図である。
【図８】トラッキングコイル又はフォーカシングコイルと、インサート成形用金型に設けたボスとの関係を示す他の実施例の斜視図である。
【符号の説明】
【０１１４】
１０  光ピックアップ装置
１２  ダンパベース
１４  サスペンションワイヤ
２２  レンズ
２０  レンズホルダ
２４  トラッキングコイル
２６  フォーカシングコイル
２８  リード線
３０  第１の磁石
３２  第２の磁石
３６、１３６、２３６  ボビン
３７、１３７、２３７  コイル位置決部
３９、１３９  係合部
４０  第１の基板
４２  第２の基板
４４  基板端子
６０、６２、１６０、１６２  ボス
Ｙ１、Ｙ２、Ｙ２１、Ｈ１、Ｈ２  金型
７０  コイル
７２  コイル係合部
７４  外周部
９０、１９０、２９０  インサート成形用金型内面
９２、１９２、２９２  ボス
【図１】
2006155753.tif 000003
【図２】
2006155753.tif 000004
【図３】
2006155753.tif 000005
【図４】
2006155753.tif 000006
【図５】
2006155753.tif 000007
【図６】
2006155753.tif 000008
【図７】
2006155753.tif 000009
【図８】
2006155753.tif 000010